(57)【要約】【課題】使用者が使用時間の累積値を計算する必要がなく、所定の時刻まで最大の性能で使用できるバッテリ駆動の携帯情報処理装置を提供する。【解決手段】バッテリ２０で駆動され、スケジュール情報を記憶した携帯情報処理装置であって、バッテリ２０が使用可能な最終使用時刻を設定する最終使用時刻設定部１８ｃと、バッテリ容量を取得するバッテリ容量取得部１８ｂと、最終使用時刻設定部１８ｃで設定された最終使用時刻に含まれるスケジュール情報からバッテリ使用量を演算し、演算したバッテリ使用量と、バッテリ容量取得部１８ｂが取得したバッテリ容量とからバッテリ２０の余裕度を演算するバッテリ使用量予測部１８ａと、バッテリ２０の余裕度に基づいて、最終使用時刻までバッテリ２０を使用可能になるように携帯情報処理装置の消費電力を抑制する電力抑制部１８ｅを備えた。【選択図】図２
2010165207.tif 000002
【特許請求の範囲】
【請求項１】
バッテリで駆動され、スケジュール情報を記憶した携帯情報処理装置であって、
前記バッテリが使用可能な最終使用時刻を設定する最終使用時刻設定手段と、
バッテリ容量を取得するバッテリ容量取得手段と、
前記最終使用時刻設定手段で設定された最終使用時刻に含まれる前記スケジュール情報から前記バッテリ使用量を演算し、前記演算したバッテリ使用量と、前記バッテリ容量取得手段が取得した前記バッテリ容量とから前記バッテリの余裕度を演算するバッテリ使用量予測手段と、
前記バッテリの余裕度に基づいて、前記最終使用時刻まで前記バッテリを使用可能になるように前記携帯情報処理装置の消費電力を抑制する電力抑制手段と、
を備えたことを特徴とする携帯情報処理装置。
【請求項２】
前記携帯情報処理装置が備える構成デバイスは、消費電力の異なる複数の動作モードを有し、
前記スケジュール情報に対応した使用区分ごとに、前記動作モードを組み合わせて合計消費電力の異なる複数の電力抑制レベルを設定し、
前記電力抑制手段は複数の前記電力抑制レベルの中から１つを選択し、選択された前記電力抑制レベルに基づいて前記構成デバイスの前記動作モードを設定することにより、消費電力を制御することを特徴とする請求項１に記載の携帯情報処理装置。
【請求項３】
前記電力抑制手段は前記最終使用時刻まで前記バッテリを使用可能な範囲内で前記合計消費電力が最も大きい前記電力抑制レベルを選択することを特徴とする請求項２に記載の携帯情報処理装置。
【請求項４】
前記構成デバイスは、ＣＰＵ、ＬＣＤ、ＤＶＤドライブ、ＵＳＢインタフェース、ＷＬＡＮインタフェースの少なくともいずれか１つを含むことを特徴とする請求項２または請求項３に記載の携帯情報処理装置。
【発明の詳細な説明】
【技術分野】
【０００１】
本発明は、パーソナルコンピュータなどの携帯情報処理装置に関わり、詳しくは、バッテリを指定の時刻まで使用できる技術に関する。
【背景技術】
【０００２】
ノート型パーソナルコンピュータなどの携帯情報処理装置（以下、パソコンとも略記する）は、オフィスの卓上で書類作成などに利用する以外に、会議や、外出先に携行して使用される。
【０００３】
オフィスの卓上での使用では、商用電源からバッテリ（以下、電池ともいう）を充電しながら使用することに対して、会議や外出先ではバッテリで駆動されることが一般的である。
【０００４】
会議や移動先でパソコンを使用する場合は、電池の残容量に留意しながらパソコンを使用しないと、電池の容量がなくなって、突然使用できない状況が発生して不便である。
【０００５】
このような事態を極力避けるために、例えば特許文献１に示すような提案がなされている。
【０００６】
特許文献１に示すものは、使用者が前もって設定した時間までパソコンを使用できるよう、使用者が設定した時間に応じて、バッテリからの供給電力を抑制するようにしたものである。
【０００７】
また、パソコンを使用した時間を使用者が覚えていないと使用できる残時間が分からなくなるので、残電池使用時間を知らせるようにしている。
【特許文献１】特開平１０−２１０６７１号公報
【発明の開示】
【発明が解決しようとする課題】
【０００８】
しかしながら、このような方法は、使用予定時間を使用者が頭の中で想定して、使用時間の累積値を計算する必要があり、煩雑であった。また、うっかり予定を忘れると必要な時刻までパソコンを使用できない課題があった。また、パソコンの使用時間を守るために必要以上に消費電力を抑制しすぎて本来の性能で使用できないこともあった。
【０００９】
本発明は、上記課題を解決するためになされたもので、使用者が使用時間の累積値を計算する必要がなく、所定の時刻まで最大の性能で使用できるバッテリ駆動の携帯情報処理装置を提供することを目的としている。
【課題を解決するための手段】
【００１０】
上述した目的を達成するために、本発明の携帯情報処理装置は、バッテリで駆動され、スケジュール情報を記憶した携帯情報処理装置であって、バッテリが使用可能な最終使用時刻を設定する最終使用時刻設定手段と、バッテリ容量を取得するバッテリ容量取得手段と、最終使用時刻設定手段で設定された最終使用時刻に含まれるスケジュール情報からバッテリ使用量を演算し、演算したバッテリ使用量と、バッテリ容量取得手段が取得したバッテリ容量とからバッテリの余裕度を演算するバッテリ使用量予測手段と、バッテリの余裕度に基づいて、最終使用時刻までバッテリを使用可能になるように携帯情報処理装置の消費電力を抑制する電力抑制手段と、を備えたことを特徴とする。
【００１１】
このような構成により、携帯情報処理装置に記憶されているスケジュール情報によって事前に使用目的および時間を把握できるので、最終使用時刻までバッテリを使用するための電力抑制量を自動的に計算して携帯情報処理装置の消費電力を制御できる。したがって、使用者が使用時間の累積値を計算する必要がなく、所定の時刻まで確実にバッテリを使用できる。
【００１２】
また本発明の携帯情報処理装置では、携帯情報処理装置が備える構成デバイスは、消費電力の異なる複数の動作モードを有し、スケジュール情報に対応した使用区分ごとに、動作モードを組み合わせて合計消費電力の異なる複数の電力抑制レベルを設定し、電力抑制手段は複数の電力抑制レベルの中から１つを選択し、選択された電力抑制レベルに基づいて構成デバイスの動作モードを設定することにより、消費電力を制御してもよい。
【００１３】
このような構成により、携帯情報処理装置を構成する構成デバイスごとに動作モードの設定が可能となり、より細かな電力制御を行うことが可能である。
【００１４】
また本発明の携帯情報処理装置では、電力抑制手段は最終使用時刻までバッテリを使用可能な範囲内で合計消費電力が最も大きい電力抑制レベルを選択するのが好ましい。
【００１５】
このような構成により、バッテリの容量に余裕がある場合には、最も性能の高い動作モードで各構成デバイスを動作させることができるので携帯情報処理装置の性能を十分に活用することができる。
【００１６】
また本発明の携帯情報処理装置では、構成デバイスは、ＣＰＵ、ＬＣＤ、ＤＶＤドライブ、ＵＳＢインタフェース、ＷＬＡＮインタフェースの少なくともいずれか１つを含んでもよい。
【発明の効果】
【００１７】
本発明によれば、使用者が使用時間の累積値を計算する必要がなく、所定の時刻まで最大の性能で使用できるバッテリ駆動の携帯情報処理装置を提供することができる。
【発明を実施するための最良の形態】
【００１８】
以下、本発明の実施の形態について図面を参照しながら詳細に説明する。
【００１９】
（実施の形態）
図１は、本発明の実施の形態における携帯情報処理装置１の全体構成を示すブロック図、図２は本実施の形態における携帯情報処理装置１のバッテリ２０の使用時間制御に関する部分の構成を示すブロック図である。
【００２０】
携帯情報処理装置１は、ＣＰＵ１１と、ＨＤＤ１２と、ＲＡＭ１３と、ＤＶＤドライブ１４と、ＵＳＢインタフェース１５と、ＬＣＤ（液晶ディスプレイ）１６と、バックライト１７と、マイコンであるＥＣ（Ｅｍｂｅｄｄｅｄ  Ｃｏｎｔｒｏｌｌｅｒ）１８と、無線ＬＡＮ（ＷＬＡＮ）インタフェース１９と、バッテリ２０で構成され、これらの構成要素は、システムバス１０で接続され相互に通信できる構成である。
【００２１】
ＥＣ１８は、携帯情報処理装置１が停止状態においても、バッテリ２０から電源が供給される構成で、ＥＣ１８は、バッテリ使用量予測部１８ａと、バッテリ容量取得部１８ｂと、最終使用時刻設定部１８ｃと、電力抑制テーブル１８ｄと、電力抑制部１８ｅとを備えている。
【００２２】
バッテリ容量取得部１８ｂは、バッテリ２０からバッテリ容量を取得する。
【００２３】
バッテリ容量取得部１８ｂは、最終使用時刻設定部１８ｃで設定された時刻に基づいてスケジューラ２１からスケジュール情報を入手してＥＣ１８の内部のメモリ（図示しない）に記憶する。そして、このスケジュール情報に基づいて最終使用時刻までのバッテリ使用量を予測し、バッテリ容量取得部１８ｂが取得したバッテリ容量と照合して、バッテリの余裕度を演算して報知部２２により報知する。それと同時に、電力抑制テーブル１８ｄから電力の抑制レベルを選択し、電力抑制部１８ｅに指示して電力負荷群２３の電力を抑制させる。ここで、電力負荷群２３は、図１に示した携帯情報処理装置１のＣＰＵ１１以下の構成デバイスである。
【００２４】
図３は、本実施の形態における携帯情報処理装置１の電力制御手段であるＥＣ１８における電力抑制部１８ｅの基本動作を示すフローチャートである。
【００２５】
まず、ステップＳ１において使用者は最終使用時刻を設定する。
【００２６】
図４は、本実施の形態における携帯情報処理装置１の最終使用時刻設定部１８ｃを説明するための図であり、ＬＣＤ１６上のアイコン（図示していない）を使用者がクリックしてＬＣＤ１６上に表示された状態を示す図である。使用者は、キーボードやマウス（いずれも図示していない）などの入力用デバイスを操作して、パソコン１を使用したい最終使用時刻（例えば、４月１２日１６時）を入力する。
【００２７】
次にステップＳ２で、バッテリ使用量予測部１８ａは、スケジューラ２１からパソコン１の使用スケジールを入手する。スケジューラ２１は、ＨＤＤ１２にＣＰＵ１１で動作するソフトウエアとして実装されており、使用者はアイコンなどをクリックしてスケジューラ２１を起動してスケジュール情報（行動予定）を入力する。図５は本実施の形態における携帯情報処理装置１のスケジューラ２１の設定例を示す図であり、ＬＣＤ１６に表示されたスケジュール情報の一例を示している。
【００２８】
図５は、４月１１日と４月１２日のスケジュールを示しており、前述の図４の設定は、４月１１日の１７時の時点で、パソコン１の最終使用時刻を翌日１２日の１６時に設定したものである。
【００２９】
したがって、バッテリ使用量予測部１８ａは、翌日の９時から１６時までの時刻を会議として取得し、次のステップＳ３において、図６に示す電力抑制テーブル１８ｄを参照して、会議に相当する抑制レベルを選択する。電力抑制テーブル１８ｄは、ＥＣ１８の内部メモリ（図示せず）に保存されており、バッテリ使用量予測部１８ａが必要に応じてこのメモリから読み出して使用する。
【００３０】
電力抑制テーブル１８ｄは、図６に示すように使用目的（オフィス／会議／移動）区分ごとにそれぞれ抑制レベルを設け、それぞれの抑制レベルに対応して構成デバイスの動作モード（電力の抑制内容）と、合計の使用電力（消費電力）の情報を持っている。ここで、合計の使用電力量は、実際には電池容量に換算した数値として記載されているものであるが、ここでは説明を容易にするために各抑制レベルの使用電力量の相対値（％）で示している。電力の抑制対象となる構成デバイスは、ＬＣＤ１６、ＷＬＡＮインタフェース１９、ＤＶＤドライブ１４、ＵＳＢインタフェース１５およびＣＰＵ１１である。また、ＬＣＤ１６はバックライト１７を調整してその輝度を変更でき、ＬＣＤ１６の消費電力はこの輝度にほぼ比例する。そこで、ＬＣＤ１６は、輝度が１００％、８０％、６０％、５０％および４０％の５段階に異なる５つの動作モードを持つ。ＷＬＡＮインタフェース１９、ＤＶＤドライブ１４、ＵＳＢインタフェース１５の動作モードとしてはＯＮ（機能させる）かＯＦＦ（機能を止める）か２つの動作モードを持つ。なお、ＤＶＤドライブ１４はＤＶＤおよびＣＤに対応している。ＣＰＵ１１は、クロックのスピードでその消費電力が決まり、動作モードとしては速いクロックを用いる高速モードと遅いクロックを使用する低速モードの２つがある。
【００３１】
例えば、使用区分がオフィスの場合、ＡＣでの使用が想定されるのでバッテリ２０の電力消費は考慮する必要がなく、この使用区分に対応する抑制レベル１では、すべての構成デバイスで電力消費の最も大きい動作モードが選択される。
【００３２】
使用区分が会議の場合、抑制レベル２および抑制レベル３の２つが存在し、その違いは、ＬＣＤ１６の輝度（８０％／６０％）、ＷＬＡＮインタフェース１９（ＯＮ／ＯＦＦ）およびＣＰＵ１１（高速／低速）である。ＤＶＤドライブ１４およびＵＳＢインタフェース１５の動作モードはともにＯＦＦである。
【００３３】
使用区分が移動の場合、抑制レベル４および抑制レベル５の２つが存在し、その違いは、ＬＣＤ１６の輝度（５０％／４０％）のみである。ＷＬＡＮインタフェース１９、ＤＶＤドライブ１４、ＵＳＢインタフェース１５の動作モードはいずれもＯＦＦであり、ＣＰＵ１１の動作モードは低速モードである。
【００３４】
ステップＳ３では、目的区分として会議の区分が選択される。次に、ステップＳ４で、予定の使用電力量（バッテリ容量）が演算される。ここでは、まず会議の区分の抑制レベル２（８０％）の使用電力で使用電力量が演算される。抑制レベル２では、例えばＬＣＤ１６の輝度が８０％、ＷＬＡＮを使用可、ＣＤ／ＤＶＤおよびＵＳＢを使用不可（ＯＦＦ）、ＣＰＵクロックは高速に設定される。
【００３５】
次にステップＳ５では、バッテリ使用量予測部１８ａは、バッテリ容量取得部１８ｂが取得したバッテリ容量を取り込み、次のステップＳ６において、取得したバッテリ容量とステップＳ４で求めた予定使用電力量から、バッテリ２０の余裕度を演算し、次のステップＳ７においてＬＣＤ１６の画面上で使用者に報知する。
【００３６】
図７は、本実施の形態における携帯情報処理装置１のバッテリ容量の余裕度が報知部２２によりＬＣＤ１６の画面上に表示された一例を示す図である。図７（ａ）の報知部２２の表示では、バッテリ２０の余裕度が１１０％の場合で、パソコン１の使用予定に対して、バッテリ容量に余裕があることを示している。一方、図７（ｂ）の報知部２２の表示では、バッテリ２０の余裕度が９０％の場合で、パソコン１をパワーセーブして駆動することを示している。
【００３７】
次にステップＳ８では、バッテリ２０の余裕度に応じて、抑制レベルがさらに修正される。すなわち、バッテリ２０の余裕度がない場合には、図６において、同じ会議の区分でも抑制レベル３（６０％）が選択される。この抑制レベル３でも、最終使用時刻までパソコン１を使用できないと演算されたときは、会議の区分を超えて、移動（モバイル使用）使用の区分の抑制レベル４（５０％）や抑制レベル５（４０％）が選択される。逆に、バッテリ２０に余裕がある場合には、最終使用時刻までバッテリ２０を使用できる範囲内で、使用区分の中で最も消費電力の大きな（最も性能の高い）動作モードを選択する。例えば、使用区分が会議の場合、抑制レベル２でも最終使用時刻までバッテリ２０が使用できると判断された場合は、抑制レベル３ではなく、より性能の高い抑制レベル２に対応する動作モードで動作する。
【００３８】
このように、バッテリ２０の余裕度に応じて、バッテリ２０の使用電力量の抑制レベルが選択され、次のステップＳ９において（４月１２日に予定された会議）、選択された抑制レベルの電力でパソコン１が駆動される。
【００３９】
このパソコン駆動後は、ステップＳ５に戻って、絶えずバッテリ２０の容量をチェックし、その容量に基づいて、電力の抑制レベルの修正が行われる。
【００４０】
図８は、以上述べた動作によって、パソコン使用時の電力抑制の例を示す図である。この図面は、会議でのパソコン１の使用が予定より３０分早く始まり、予定通り終了した状態でのパソコン１の電力抑制の状態を示している。
【００４１】
バッテリ２０の余裕度が１１０％の場合は、当初は、抑制レベル２（輝度：８０％）で駆動され、予定より早く使用を始めたため、後半部では、抑制レベル３（輝度：７０％）で駆動されることを示している。
【００４２】
また、バッテリ２０の余裕度が９０％の場合は、当初は、抑制レベル３（輝度：７０％）で駆動され、予定より早く使用を始めたため、後半部では、抑制レベル４（輝度：５０％）で駆動されることを示している。
【００４３】
図９は、パソコン使用時の電力抑制の他の例を示す図である。この図面は、移動中にパソコン１を使用した場合の例を示したものである。
【００４４】
バッテリ２０の余裕度が１１０％の場合は、移動時の使用は、パソコン１が使用された場合、バッテリ使用量予測部１８ａは、パソコン１の使用を検知し、ＥＣ１８に取り込んで記憶したスケジュールと照合して、移動中であることを判断する。仮に、スケジュールには移動中と記憶されていなくても、予定外の使用であれば、バッテリ使用量予測部１８ａは、移動中と判断して、電力抑制テーブル１８ｄの使用区分の中の「移動」を選択して、選択した電力の抑制レベルでパソコン１を駆動する。
【００４５】
すなわち、図９において、バッテリ２０の余裕度が１１０％の場合は、移動中は、抑制レベル４（輝度：５０％）で駆動され、予定の会議では、抑制レベル２（輝度：８０％）で駆動されることを示している。
【００４６】
また、図９において、バッテリ２０の余裕度が９０％の場合は、移動中は、抑制レベル５（輝度：４０％）で駆動され、予定の会議では、抑制レベル３（輝度：７０％）で駆動されることを示している。
【００４７】
以上説明したように、本実施の形態によれば、パソコン１に記憶されたスケジュール情報（行動予定表）にしたがってパソコン１が使用された場合のバッテリ２０の使用容量を予測できるので、現状のバッテリ容量と照合して電力の抑制レベルを決定して適切に電力の制御が可能となる。したがって、予定した時刻までパソコン１を使用し続けることができるとともに、必要以上に電力を抑制しすぎることがないので設定した条件の中で最大の性能でパソコン１を使用することができる。
【００４８】
なお、上記実施の形態で説明したすべての数字はあくまで一例であってこれに限定されるものではない。
【００４９】
また、上記実施の形態では、オフィス、会議、移動という３つの使用区分を想定して電力抑制テーブル１８ｄを作成する例を説明したが、これらの使用区分に、例えば映画鑑賞などの使用区分を追加してもよい。この場合には、映画コンテンツを再生するためにＣＰＵクロックは高速にする必要があるが、ＷＬＡＮやＵＳＢをＯＦＦしてもよい。暗い環境で映画鑑賞をするのであればＬＣＤ１６の輝度を下げることも可能である。
【００５０】
また、上記実施の形態では、電力抑制の制御対象となる構成デバイスとしてＬＣＤ１６、ＷＬＡＮインタフェース１９、ＵＳＢインタフェース１５、ＤＶＤドライブ１４、およびＣＰＵ１１を例に説明したが、これに限定されるものではない。機能のＯＮ／ＯＦＦができるもの、電力の制御が可能であるものであれば制御対象とすることができる。さらに、ＣＰＵ１１はクロックのスピードによって「高速」と「低速」の２つの動作モードとしたが、さらに多くの中間段階を持ってもよい。例えば、ＷＬＡＮインタフェースに代えて有線通信インタフェースや広域無線通信インタフェースなどの通信デバイスであってもよい。
【００５１】
また、上記実施の形態では、ノート型パソコンを例に説明したが、パソコン以外のＰＤＡ、携帯電話などのようにスケジュールを記憶できる携帯型の機器であれば適用可能である。
【産業上の利用可能性】
【００５２】
本発明は、ノートパソコン以外でもＰＤＡ、携帯電話などの携帯情報処理装置に幅広く利用することが可能である。
【図面の簡単な説明】
【００５３】
【図１】本発明の実施の携帯における携帯情報処理装置の全体構成を示すブロック図
【図２】同携帯情報処理装置の要部の構成を示すブロック図
【図３】同携帯情報処理装置の基本動作を示すフローチャート
【図４】同携帯情報処理装置の最終使用時刻設定部を説明するための図
【図５】同携帯情報処理装置のスケジューラの設定例を示す図
【図６】同携帯情報処理装置の電力抑制テーブルを説明するための図
【図７】同携帯情報処理装置の報知部のバッテリ容量の余裕度の表示の一例を示す図
【図８】同携帯情報処理装置（パソコン）使用時の電力抑制の例を示す図
【図９】同携帯情報処理装置（パソコン）使用時の電力抑制の他の例を示す図
【符号の説明】
【００５４】
１    パソコン（携帯情報処理装置）
１０    システムバス
１１    ＣＰＵ
１２    ＨＤＤ
１３    ＲＡＭ
１４    ＤＶＤドライブ
１５    ＵＳＢインタフェース
１６    ＬＣＤ（液晶ディスプレイ）
１７    バックライト
１８    ＥＣ（マイコン）
１８ａ    バッテリ使用量予測部
１８ｂ    バッテリ容量取得部
１８ｃ    最終使用時刻設定部
１８ｄ    電力抑制テーブル
１８ｅ    電力抑制部
１９    無線ＬＡＮ（ＷＬＡＮ）インタフェース
２０    バッテリ
２１    スケジューラ
２２    報知部
２３    電力負荷群
【図１】
2010165207.tif 000003
【図２】
2010165207.tif 000004
【図３】
2010165207.tif 000005
【図４】
2010165207.tif 000006
【図５】
2010165207.tif 000007
【図６】
2010165207.tif 000008
【図７】
2010165207.tif 000009
【図８】
2010165207.tif 000010
【図９】
2010165207.tif 000011